(57)【要約】【課題】育苗ポットごとに表示ラベルを装着する作業を不要とし、育苗ポット全面を表示スペースとして利用することができる育苗ポットを提供する。【解決手段】苗に関する情報表示Ｐを育苗ポット１の表面に予め印刷する。合成樹脂製のシート材にて育苗ポット１を形成する。育苗ポット１を前後側面２と左右側面３と底面４とを備えた底ガゼット袋状に形成する。底面４に水抜き孔５を開穿する。前後側面２又は左右側面３のいずれか又は全面に情報表示Ｐを予め印刷表示する。育苗ポット１の開口部１Ａの面積が底面４の面積よりも広くなるように形成する。【選択図】  図１
0003192568.tif 000002
【実用新案登録請求の範囲】
【請求項１】
発芽後の苗を育成した状態で販売する育苗ポットにおいて、収納する苗に関する情報表示を育苗ポットの表面に予め印刷したことを特徴とする育苗ポット。
【請求項２】
前記育苗ポットは、合成樹脂製のシート材にて前後側面と左右側面と底面とを備えた底ガゼット袋状に形成され、底面に水抜き孔を開穿すると共に、前後側面又は左右側面のいずれか又は全面に、収納する苗に関する前記情報表示を予め印刷表示した請求項１記載の育苗ポット。
【請求項３】
前記前後側面又は前記左右側面のいずれかの面から前記開口部上方に延長されたラベル片が一体成形され、該ラベル片に前記苗に関する情報を表示するように構成した請求項２記載の育苗ポット。
【請求項４】
前記前後側面と前記左右側面とで成す周側面において、開口部の面積が前記底面の面積よりも広くなるように形成され、複数の育苗ポットが積み重ね自在になるように構成した請求項２又は３記載の育苗ポット。
【考案の詳細な説明】
【技術分野】
【０００１】
本考案は育苗ポットに関し、特に、苗に関する情報が表示されたラベルの装着作業が不要になり、育苗農家や販売店の作業負担を軽減することができる育苗ポットに関する。
【背景技術】
【０００２】
従来、塩化ビニル樹脂やプラスチックなどの育苗ポットで苗を販売する際に、苗の名称、栽培方法、成長後の写真等を表示した帯板状等の表示ラベルが取付けられている。この表示ラベルを育苗ポットに取付ける場合、表示ラベルの下端部を育苗ポット内に差込み、表示ラベルを育苗ポットにステープラー等で固定している。
【０００３】
ところが、表示ラベルの下端部を培土に差込みステープラー等で固定する方法では、表示ラベルの固定作業に多くの手間を要していた。そこで、特許文献１や特許文献２に記載の育苗ポットにおいて、苗に関する情報が表示された表示ラベルを育苗ポットに簡単に装着することができる育苗ポットが提案されている。
【０００４】
特許文献１に記載の育苗ポットは、育苗ポットの側面に差込み口を設けたもので、苗に関する情報が表示された表示ラベルを差込み口から差込むと共に、この差込み口の位置を把握するための目印となる凹部を育苗ポットの側面に備えたものである。
【０００５】
一方、特許文献２に記載の育苗ポットは、側面の内側に窪んで上下方向に延びる凹壁部を設け、この凹壁部に形成された溝の中にラベルの下端部を差し込んで保持する構成を成している。
【０００６】
このように、特許文献１及び特許文献２に示される育苗ポットは、いずれも、ポットの側面に表示ベルを差し込む差込口やラベル保持部を設けることで、ラベル装着作業を容易にするものである。
【先行技術文献】
【特許文献】
【０００７】
【特許文献１】特許第３８６０１７６号公報
【特許文献２】特許第４９３２８９４号公報
【考案の開示】
【考案が解決しようとする課題】
【０００８】
ところが、特許文献１や特許文献２のように、育苗ポットの側面に表示ラベルを差し込む構成では、ステープラー等の止着作業は不要になるが、育苗ポットごとに表示ラベルを装着するといった手作業は変わらない。しかも、苗が植え付けられている育苗ポットに表示ラベルを装着する場合、植え付けられた苗のみでは苗の見極めが困難であるから、育苗農家から送られてきた苗に、販売店が表示ラベルを装着する際に、誤って育苗ポット内の苗と異なった表示ラベルを装着する虞もある。
【０００９】
一方、従来の表示ラベルは、小さな短冊状や脚付きの板状等を成しているので、表示ラベルに記載するスペースが著しく限られていた。したがって、従来の表示ラベルに記載される情報は、主に苗の名称、栽培方法、成長後の写真等などをできるだけコンパクトに表示せざるを得ず、購入者が最も知りたい成長後の写真などは極めて小さな写真になることが多い。したがって、従来の表示ラベルは、あくまで育苗ポットの確認用に使用されているもので、この表示ラベルで購買者の購買意欲を刺激することは困難になっていた。
【００１０】
そこで本考案は、上述の課題を解消すべく案出されたもので、育苗ポットごとに表示ラベルを装着する作業を不要とすることで、育苗農家や販売店の作業負担を軽減し、育苗ポット全面を表示スペースとして利用して苗の情報を効果的に表示することができ購買意欲を高めることが可能な育苗ポットの提供を目的とするものである。
【課題を解決するための手段】
【００１１】
本考案の第１の手段は、発芽後の苗を育成した状態で販売する育苗ポット１において、収納する苗に関する情報表示Ｐを育苗ポット１の表面に予め印刷したことにある。
【００１２】
第２の手段において、前記育苗ポット１は、合成樹脂製のシート材にて前後側面２と左右側面３と底面４とを備えた底ガゼット袋状に形成され、底面４に水抜き孔５を開穿すると共に、前後側面２又は左右側面３のいずれか又は全面に、収納する苗Ｑに関する前記情報表示Ｐを予め印刷表示したものである。
【００１３】
第３の手段は、前記前後側面２又は前記左右側面３のいずれかの面から前記開口部１Ａ上方に延長されたラベル片６が一体成形され、該ラベル片６に前記苗Ｑに関する情報を表示するように構成したものである。
【００１４】
第４の手段は、前記前後側面２と前記左右側面３とで成す周側面において、開口部１Ａの面積が前記底面４の面積よりも広くなるように形成され、複数の育苗ポット１が積み重ね自在になるように構成している。
【考案の効果】
【００１５】
本考案の請求項１の如く、収納する苗に関する情報表示Ｐを育苗ポット１の表面に予め印刷したことにより、これまで育苗ポットごとに表示ラベルを装着する作業が不要になった。この結果、育苗農家や販売店の作業負担を軽減し、育苗ポット１の全面を表示スペースとして利用して苗の情報を大量に表示することができる。
【００１６】
請求項２のように、育苗ポット１は、合成樹脂製のシート材にて前後側面２と左右側面３と底面４とを備えた底ガゼット袋状に形成され、底面４に水抜き孔５を開穿すると共に、前後側面２又は左右側面３のいずれか又は全面に、収納する苗Ｑに関する前記情報表示Ｐを予め印刷表示することで、育苗ポット１に対する情報表示Ｐの印刷が容易になり、しかも、苗Ｑに対応した任意の情報表示Ｐを印刷することができる。この結果、この情報表示Ｐを介して消費者の購買意欲を高めることが可能になるものである。
【００１７】
また、底ガゼット袋状に形成された育苗ポット１は、育苗ポット１をシート状に折り畳んだ状態で収納や運搬が可能になり、従来の育苗ポット１のごとく、立体的な状態で収納や運搬する必要がない。そのため、極めてコンパクトな収納や運搬が可能になる。
【００１８】
請求項３のように、前後側面２又は左右側面３のいずれかの面から開口部１Ａ上方に延長されたラベル片６が一体成形され、該ラベル片６に苗Ｑに関する情報を表示するように構成したことで、従来の表示ラベルの如き表示も可能になる。しかも、このラベル片６は、苗Ｑを鉢Ｒ等に植え替えた際に、鉢Ｒ内の苗Ｑに併設することで、苗Ｑが成長するまで情報表示Ｐを継続することができる。
【００１９】
請求項４の如く、前後側面２と左右側面３とで成す周側面において、開口部１Ａの面積が底面４の面積よりも広くなるように形成され、複数の育苗ポット１が積み重ね自在になるように構成したことで、底ガゼット袋状の育苗ポット１を広げて立体的にした場合でも、積み重ねることができるので、育苗ポット１に培土を入れたり幡種したりする作業においても効率良く行うことができる。
【００２０】
このように本考案によると、育苗ポットごとに表示ラベルを装着する作業が不要になり、育苗農家や販売店の作業負担を軽減し、育苗ポット全面を表示スペースとして利用できるので苗の情報を効果的に表示して購買意欲を高めることが可能になるものである。
【図面の簡単な説明】
【００２１】
【図１】本考案の一実施例を示す斜視図である。
【図２】本考案を折り畳んだ状態を示す背面図である。
【図３】本考案の一実施例を示す底面図である。
【図４】本考案の使用例を示す斜視図である。
【図５】本考案の他の実施例を示す斜視図である。
【図６】本考案の他の使用例を示す斜視図である。
【図７】本考案の他の使用例を示す斜視図である。
【図８】本考案の他の実施例を示す斜視図である。
【考案を実施するための形態】
【００２２】
本考案育苗ポットは、発芽後の苗を育成した状態で販売する育苗ポット１である（図４参照）。この育苗ポット１は合成樹脂材とし、例えば、厚さ0.03〜0.1mmのポリプロピレンフィルムに厚さ0.015 mmのナイロンフィルムがラミネートされたフィルム材にて形成された袋体を使用する。また、このほかの材質として、OPPフィルムシート、CCPフィルム、PEフィルム、A-PETフィルム、PETフィルムシート、OPSフィルムなどの使用も可能である。
【００２３】
案育苗ポット１の形状は底ガゼット袋状を成している（図１参照）。すなわち、前後側面２と左右側面３と底面４とが形成されたもので、左右側面３と底面４にそれぞれマチが形成されている（図２参照）。更に、底面４に水抜き孔５を開穿している（図３参照）。
【００２４】
そして、育苗ポット１の前後側面２と左右側面３とで成す周側面において、開口部１Ａの面積が前記底面４の面積よりも広くなるように形成している（図１参照）。このように、育苗ポット１をすり鉢形状に形成することで、立体的にした複数の育苗ポット１を積み重ね自在にしたものである。
【００２５】
育苗ポット１の表面には、育苗ポット１に収納する苗Ｑに関する情報表示Ｐを予め印刷表示している（図１参照）。すなわち、育苗ポット１の前後側面２又は左右側面３のいずれかの面や全面に情報表示Ｐを予め印刷表示したものである。従来の育苗ポットは、収納した苗Ｑに合わせて表示ラベルを選択し、育苗ポットに装着していたが、本考案では、育苗ポット１に合わせて苗Ｑを栽培するので情報表示Ｐが苗Ｑと相違する確率は極めて少なくなっている。
【００２６】
例えば、育苗ポット１にミニトマトの苗Ｑを育成する場合、図示例のように育苗ポット１の外側面に生育後のミニトマトの写真を情報表示Ｐとして印刷することで、栽培している苗Ｑの種類が一目で判断できるようになる（図６参照）。また、従来の表示ラベルのように、苗Ｑの名称や栽培方法などを説明する文等を育苗ポット１の任意の面に表示してもよい（図５参照）。
【００２７】
更に、この情報表示Ｐを従来の表示ラベルのように、開口部１Ａから上方に突出するように形成することも可能である（図１参照）。すなわち、前後側面２又は左右側面３のいずれかの面から開口部１Ａ上方にラベル片６を延長して一体成形し、このラベル片６に苗Ｑに関する情報表示Ｐを印刷するものである。このとき、ラベル片６の片面のみならずラベル片６の表裏面に情報表示Ｐを印刷することも可能である。このようにラベル片６を形成すると、育苗ポット１を横に並べた場合でも、情報表示Ｐを目立たせることができる（図４参照）。
【００２８】
育苗ポット１にラベル片６を形成した場合、苗Ｑを鉢Ｒやプランターに移植した後、育苗ポット１を折り畳み、鉢Ｒの培土に差し込むことで、ラベル片６の情報表示Ｐを鉢Ｒでの育成期間も利用することが可能になる（図７参照）。
【００２９】
更に、育苗ポット１は、ラベル片６を形成しないシンプルな形状にすることも可能である（図８参照）。このように、図示例の各構成において、前後側面２や左右側面３から成る育苗ポット１の形状やラベル片６等の形状及び、情報表示Ｐの印刷位置や内容は本考案の要旨を変更しない範囲において自由に選択することができる。
【符号の説明】
【００３０】
Ｐ  情報表示
Ｑ  苗
Ｒ  鉢
１  育苗ポット
１Ａ  開口部
２  前後側面
３  左右側面
４  底面
５  水抜き孔
６  ラベル片
【図１】
0003192568.tif 000003
【図２】
0003192568.tif 000004
【図３】
0003192568.tif 000005
【図４】
0003192568.tif 000006
【図５】
0003192568.tif 000007
【図６】
0003192568.tif 000008
【図７】
0003192568.tif 000009
【図８】
0003192568.tif 000010